(57)【要約】【課題】識別子のビット数を減少させること。【解決手段】本開示は、通信装置および通信方法を提供し、通信方法は、上位レイヤによって通知されるサブフレーム情報に基づいて、自装置がモニタすべき一つ以上のサブフレームを特定し、当該特定された一つ以上のサブフレームの共通サーチスペースにおいて、複数のアップリンク／ダウンリンク（ＵＬ／ＤＬ）構成を示すＵＬ／ＤＬ構成情報を受信し、複数のＵＬ／ＤＬ構成のうち自装置のためのＵＬ／ＤＬ構成を識別するためのインデックスを受信する。【選択図】図８
2018011346.tif 000002
【特許請求の範囲】
【請求項１】
上位レイヤによって通知されるサブフレーム情報に基づいて、自装置がモニタすべき一つ以上のサブフレームを特定する制御部と、
前記特定された一つ以上のサブフレームの共通サーチスペースにおいて、複数のアップリンク／ダウンリンク（ＵＬ／ＤＬ）構成を示すＵＬ／ＤＬ構成情報を受信し、前記複数のＵＬ／ＤＬ構成のうち前記自装置のためのＵＬ／ＤＬ構成を識別するためのインデックスを受信する受信部と、
を具備する通信装置。
【請求項２】
前記一つ以上のサブフレームは、一つの端末装置あるいは端末装置のグループと関連づけられている、
請求項１に記載の通信装置。
【請求項３】
前記複数のＵＬ／ＤＬ構成の各々は、ダウンリンク制御情報中の複数のビットにより示される、
請求項１又は２に記載の通信装置。
【請求項４】
前記複数のＵＬ／ＤＬ構成の各々は、少なくとも一つのダウンリンク・サブフレームと、少なくとも一つのアップリンク・サブフレームと、ダウンリンクからアップリンクに切り替えるための少なくとも一つのスペシャル・サブフレームの送信タイミングを定義する、
請求項１から３のいずれか一項に記載の通信装置。
【請求項５】
上位レイヤによって通知されるサブフレーム情報に基づいて、自装置がモニタすべき一つ以上のサブフレームを特定し、
前記特定された一つ以上のサブフレームの共通サーチスペースにおいて、複数のアップリンク／ダウンリンク（ＵＬ／ＤＬ）構成を示すＵＬ／ＤＬ構成情報を受信し、
前記複数のＵＬ／ＤＬ構成のうち前記自装置のためのＵＬ／ＤＬ構成を識別するためのインデックスを受信する、
通信方法。
【請求項６】
前記一つ以上のサブフレームは、一つの端末装置あるいは端末装置のグループと関連づけられている、
請求項５に記載の通信方法。
【請求項７】
前記複数のＵＬ／ＤＬ構成の各々は、ダウンリンク制御情報中の複数のビットにより示される、
請求項５又は６に記載の通信方法。
【請求項８】
前記複数のＵＬ／ＤＬ構成の各々は、少なくとも一つのダウンリンク・サブフレームと、少なくとも一つのアップリンク・サブフレームと、ダウンリンクからアップリンクに切り替えるための少なくとも一つのスペシャル・サブフレームの送信タイミングを定義する、
請求項５から７のいずれか一項に記載の通信方法。
【発明の詳細な説明】
【技術分野】
【０００１】
本開示は、通信分野に関し、特に、通信装置および通信方法に関する。
【背景技術】
【０００２】
ｅＩＭＴＡ（ダウンリンク−アップリンク（ＤＬ−ＵＬ）干渉管理およびトラフィック適応のためのロング・ターム・エボリューション（ＬＴＥ）時分割複信（ＴＤＤ）へのさらなる拡張）は、３ＧＰＰ  ＬＴＥ  Ｒｅｌ．１２における１つの作業項目（ＷＩ）トピックであり、ＴＤＤ  ＵＬ／ＤＬ構成を修正することによってトラフィックに適応することを目標としている。主要な重点のうちの１つは、トラフィック適応を実現するために高速ＴＤＤ  ＵＬ／ＤＬ構成を可能にすることである。現在、ＴＤＤ  ＵＬ／ＤＬ構成情報は、システム情報ブロック１（ＳＩＢ１）において搬送され、変動周期は６４０ｍｓである。論点のうちの１つは、物理レイヤ（Ｌ１）においてＴＤＤ  ＵＬ／ＤＬ構成情報をどのように送信するかである。
【０００３】
これまで、高速ＴＤＤ  ＵＬ／ＤＬ構成シグナリング送信に関する一般に４つの選択肢：（１）黙示的シグナリング、（２）共通サーチ・スペース（ＣＳＳ）による再構成の明示的Ｌ１シグナリング、（３）ユーザ機器に固有の物理ダウンリンク制御チャネル（ＵＥ固有のＰＤＣＣＨ）による明示的Ｌ１シグナリング、および（４）明示的ＭＡＣシグナリングがある。とりわけ、選択肢（２）は、シグナリング・オーバーヘッドから最も有望であり、大部分の会社によってほぼサポートされている。
【発明の概要】
【発明が解決しようとする課題】
【０００４】
選択肢（２）の１つの問題は、異なる送信ポイント／受信ポイント（ＴＰ／ＲＰ）が、協調マルチ−ポイント（ＣｏＭＰ）シナリオ、特にＣｏＭＰシナリオ４でＣＳＳにおいて送信されたそれら自体のＴＤＤ  ＵＬ／ＤＬ構成をどのようにして区別するかである。
【０００５】
特に、図１は、ＬＴＥにおける「ＣｏＭＰシナリオ４」１００を模式的に示す図であり、マクロ・ポイント（以降、マクロ基地局、基地局とも呼ばれる）１０１ならびにピコ・ポイント１０２、１０３、および１０４を含む３つのＴＰ／ＲＰが、同じ信号／チャネルを共有している。すなわち、マクロ・ポイント１０１内のＵＥ（例えば、ＵＥ１０６）およびピコ・ポイント１０２〜１０４内のＵＥ（例えば、ピコ・ポイント１０４内のＵＥ１０５）は、同じＣＳＳにおいて送信された同じＵＬ／ＤＬ構成を共有している。異なるＴＰ／ＲＰ、例えば、ＴＰ／ＲＰ１０２、１０３および１０４に関して、これらは、それぞれそれら自体のアップリンク／ダウンリンク・トラフィックに適応するために異なるＴＤＤ  ＵＬ／ＤＬ構成を持つことができない。すべてのＴＰ／ＲＰは、同じＴＤＤ  ＵＬ／ＤＬ構成を共有しなければならない。
【０００６】
本開示は、上記の態様を考慮してなされた。
【課題を解決するための手段】
【０００７】
本開示の第１の態様によれば、通信装置は、上位レイヤによって通知されるサブフレーム情報に基づいて、自装置がモニタすべき一つ以上のサブフレームを特定する制御部と、前記特定された一つ以上のサブフレームの共通サーチスペースにおいて、複数のアップリンク／ダウンリンク（ＵＬ／ＤＬ）構成を示すＵＬ／ＤＬ構成情報を受信し、前記複数のＵＬ／ＤＬ構成のうち前記自装置のためのＵＬ／ＤＬ構成を識別するためのインデックスを受信する受信部と、を具備する。
【０００８】
本開示の第２の態様によれば、前記通信装置において、前記一つ以上のサブフレームは、一つの端末装置あるいは端末装置のグループと関連づけられている。
【０００９】
本開示の第３の態様によれば、前記通信装置において、前記複数のＵＬ／ＤＬ構成の各々は、ダウンリンク制御情報中の複数のビットにより示される。
【００１０】
本開示の第４の態様によれば、前記通信装置において、前記複数のＵＬ／ＤＬ構成の各々は、少なくとも一つのダウンリンク・サブフレームと、少なくとも一つのアップリンク・サブフレームと、ダウンリンクからアップリンクに切り替えるための少なくとも一つのスペシャル・サブフレームの送信タイミングを定義する。
【００１１】
本開示の第５の態様によれば、通信方法において、上位レイヤによって通知されるサブフレーム情報に基づいて、自装置がモニタすべき一つ以上のサブフレームを特定し、前記特定された一つ以上のサブフレームの共通サーチスペースにおいて、複数のアップリンク／ダウンリンク（ＵＬ／ＤＬ）構成を示すＵＬ／ＤＬ構成情報を受信し、前記複数のＵＬ／ＤＬ構成のうち前記自装置のためのＵＬ／ＤＬ構成を識別するためのインデックスを受信する。
【００１２】
本開示の第６の態様によれば、前記通信方法において、前記一つ以上のサブフレームは、一つの端末装置あるいは端末装置のグループと関連づけられている。
【００１３】
本開示の第７の態様によれば、前記通信方法において、前記複数のＵＬ／ＤＬ構成の各々は、ダウンリンク制御情報中の複数のビットにより示される。
【００１４】
本開示の第８の態様によれば、前記通信方法において、前記複数のＵＬ／ＤＬ構成の各々は、少なくとも一つのダウンリンク・サブフレームと、少なくとも一つのアップリンク・サブフレームと、ダウンリンクからアップリンクに切り替えるための少なくとも一つのスペシャル・サブフレームの送信タイミングを定義する。
【００１５】
本開示のいくつかの態様のワイヤレス通信方法、基地局、送信／受信ポイント、ユーザ機器およびワイヤレス通信システムによれば、異なるＴＰ／ＲＰが同じ共通サーチ・スペースを共有するときでさえ、異なるＴＰ／ＲＰは、それら自体のアップリンク／ダウンリンク・トラフィックに適応するためにそれ自体のＴＤＤ  ＵＬ／ＤＬ構成を有することができる。
【００１６】
加えて、本開示のいくつかの態様のワイヤレス通信方法、基地局、送信／受信ポイント、ユーザ機器およびワイヤレス通信システムによれば、異なるＴＰ／ＲＰは、ＵＥ固有のサーチ・スペースにおいてＴＤＤ  ＵＬ／ＤＬ構成を送信することによって、それら自体のアップリンク／ダウンリンク・トラフィックに適応するためにそれら自体のＴＤＤ  ＵＬ／ＤＬ構成を有することができる。その上、あるＴＰ／ＲＰの端における、または複数のＴＰ／ＲＰの重なった領域内のＵＥに対してさえ、誤検出および他のＴＰ／ＲＰとの干渉を、減少させることができる。
【００１７】
前述は、要約であり、したがって、やむを得ず、単純化、一般化、および詳細の省略を含んでいる。本明細書において説明するデバイスおよび／またはプロセスおよび／または他の主題の他の態様、特徴、および利点は、本明細書に述べる教示において明らかになるであろう。本要約は、単純化した形式で選択した概念を紹介するために提供され、これは、下記の詳細な説明においてさらに説明される。この要約は、特許請求した主題の鍵となる特徴または本質的な特徴を識別しようとするものでも、特許請求した主題の範囲を決定する際の助けとして使用しようとするものでもない。
【００１８】
本開示のこれらのおよび／または他の特徴および利点は、添付の図面と組み合わせて下記の本開示の実施形態の詳細な説明ではさらに明確にそしてより容易に理解されることになろう。
【図面の簡単な説明】
【００１９】
【図１】ＬＴＥにおけるＣｏＭＰシナリオ４を模式的に示す図
【図２】本開示の第１の実施形態による送信／受信ポイントによるワイヤレス通信方法を示すフロー図
【図３】本開示の第１の実施形態によるユーザ機器によるワイヤレス通信方法を示すフロー図
【図４】本開示の第２の実施形態による送信／受信ポイントによるワイヤレス通信方法を示すフロー図
【図５】本開示の第２の実施形態によるユーザ機器によるワイヤレス通信方法を示すフロー図
【図６】本開示の第３の実施形態による送信／受信ポイントによるワイヤレス通信方法を示すフロー図
【図７】本開示の第３の実施形態によるユーザ機器によるワイヤレス通信方法を示すフロー図
【図８】ＴＤＤに基づくワイヤレス通信システムにおいてＴＰ／ＲＰ番号とサブフレーム番号との間の関連付けを示す模式図
【図９】本開示の第３の実施形態による送信／受信ポイントの概略構造を示すブロック図
【図１０】本開示の第３の実施形態によるユーザ機器の概略構造を示すブロック図
【図１１】本開示の第４の実施形態による送信／受信ポイントによるワイヤレス通信方法を示すフロー図
【図１２】本開示の第４の実施形態によるユーザ機器によるワイヤレス通信方法を示すフロー図
【図１３】ＴＤＤに基づくワイヤレス通信システムにおいてＵＥグループ番号とサブフレーム番号との間の関連付けを示す模式図
【発明を実施するための形態】
【００２０】
次の詳細な説明では、詳細な説明の一部を形成する添付の図面を参照している。図面では、類似の記号は、文脈が別なふうに指示しない限りは類似の構成要素を典型的には識別する。本開示の態様を、多種多様な異なる構成に配置し、置き換え、組み合わせ、そして設計することができることが容易に理解され、そのすべては、明示的に予期され、この開示の一部を形成する。
【００２１】
（第１の実施形態）
図２は、第１の実施形態の実装形態による基地局によるワイヤレス通信方法を示す図である。図３は、第１の実施形態の別の実装形態によるユーザ機器（ＵＥ）によるワイヤレス通信方法を示す図である。
【００２２】
第１の実施形態において、（マクロ）基地局側では、ワイヤレス通信システムの共通サーチ・スペースにおいて、基地局によりアップリンク／ダウンリンク（ＵＬ／ＤＬ）構成を送信するワイヤレス通信方法を提供する。図２に示したように、本方法は、共通サーチ・スペースにおいて通信可能範囲内のＵＥへＵＬ／ＤＬ構成を送信するステップ２０１を含み、特定のＴＰ／ＲＰに接続されたＵＥに関するＵＬ／ＤＬ構成が、ダウンリンク制御情報（ＤＣＩ）中のビットによって識別される。
【００２３】
図２は（マクロ）基地局によるワイヤレス通信方法を図示しているが、マクロ基地局および異なるＴＰ／ＲＰがＵＬ／ＤＬ構成を送信する（ブロードキャストする）ためにＣＳＳを共有するので、ＴＰ／ＲＰによるワイヤレス通信方法が同様に実行されることに留意されたい。すなわち、ＴＰ／ＲＰは、共通サーチ・スペースにおいて通信可能範囲内のＵＥへＵＬ／ＤＬ構成を送信し、ここでは、ＴＰ／ＲＰに接続されたＵＥに関するＵＬ／ＤＬ構成が、ＤＣＩ中のビットによって識別される。
【００２４】
ＵＥ側では、ワイヤレス通信システムの共通サーチ・スペースにおいて、ＵＥによりＵＬ／ＤＬ構成を受信するワイヤレス通信方法が提供される。図３に示したように、本方法は、共通サーチ・スペースにおいてＵＬ／ＤＬ構成を送信するステップ３０１を含み、ＵＥに関するＵＬ／ＤＬ構成が、ＤＣＩ中のビットによって識別される。
【００２５】
したがって、ワイヤレス通信システムにおいてＵＬ／ＤＬ構成を送信するＴＰ／ＲＰが提供され、共通サーチ・スペースにおいて通信可能範囲内のＵＥへＵＬ／ＤＬ構成を送信する送信機を備え、ＴＰ／ＲＰに接続されたＵＥに関するＵＬ／ＤＬ構成が、ＤＣＩ中のビットによって識別される。
【００２６】
また、ワイヤレス通信システムにおいてＵＬ／ＤＬ構成を送信する（マクロ）基地局が提供され、共通サーチ・スペースにおいて通信可能範囲内のＵＥへＵＬ／ＤＬ構成を送信する送信機を備え、特定のＴＰ／ＲＰに接続されたＵＥに関するＵＬ／ＤＬ構成が、ＤＣＩ中のビットによって識別される。
【００２７】
また、ワイヤレス通信システムの共通サーチ・スペースにおいてＵＬ／ＤＬ構成を受信するＵＥが提供され、共通サーチ・スペースにおいてＵＬ／ＤＬ構成を受信する受信機を備え、ＵＥに関するＵＬ／ＤＬ構成が、ＤＣＩ中のビットによって識別される。
【００２８】
また、ワイヤレス通信システムが提供され、共通サーチ・スペースにおいて通信可能範囲内のＵＥへＵＬ／ＤＬ構成を送信する基地局と、共通サーチ・スペースにおいて通信可能範囲内のＵＥへＵＬ／ＤＬ構成を送信するＴＰ／ＲＰと、共通サーチ・スペースにおいてＵＬ／ＤＬ構成を受信する、ＴＰ／ＲＰに接続されたＵＥと、を備え、ＵＬ／ＤＬ構成が、ＤＣＩ中のビットによって識別される。
【００２９】
特に、第１の実施形態では、ワイヤレス通信方法は、複数のＴＰ／ＲＰを含むワイヤレス通信システムにおいて利用される。（マクロ）基地局および複数のＴＰ／ＲＰは、すべてのＴＰ／ＲＰに対してＵＬ／ＤＬ構成を送信するために同じＣＳＳを共有する。
【００３０】
したがって、異なるＴＰ／ＲＰがそれら自体のＵＬ／ＤＬ構成を有することができるように、各ＴＰ／ＲＰに対してのＵＬ／ＤＬ構成を識別するために、ダウンリンク制御情報（ＤＣＩ）中のビットから形成される識別子を使用することができる。
【００３１】
例えば、いくつかの追加ビットが、ＵＬ／ＤＬ構成を識別するためにＤＣＩに直接追加される。あるいは、ＤＣＩ中のいくつかのフィールドを、このような識別のために再使用することができる。追加したまたは再使用したビットの数は、ＴＰ／ＲＰの数と関連付けられる。特に、追加したまたは再使用したビットは、ＴＰ／ＲＰのすべてに関する各ＵＬ／ＤＬ構成の可能性を識別するために十分である。
【００３２】
例えば、現在、ＬＴＥにおいて７つのＴＤＤ  ＵＬ／ＤＬ構成の可能性があり、これらを下記の表１に示す。
【００３３】
【表１】
2018011346.tif 000003
ここでは、「Ｄ」が、ダウンリンク・サブフレームを表し、「Ｕ」が、アップリンク・サブフレームを表し、そして「Ｓ」が、特別サブフレームを表す。
【００３４】
３つのＴＰ／ＲＰがあると仮定すると、識別子は、７３＝３４３個のＵＬ／ＤＬ構成の可能性を識別する必要がある。したがって、少なくとも９ビットが必要である。ＴＰ／ＲＰが増加すると、ビットの数は増加する。例えば、１０個のＴＰ／ＲＰがあると仮定すると、識別子は、７１０＝２８２４７５２４９個のＵＬ／ＤＬ構成の可能性を識別する必要があり、これは少なくとも２９ビットを意味する。
【００３５】
本開示の第１の実施形態によれば、異なるＴＰ／ＲＰが同じ共通サーチ・スペースを共有するときでさえ、各ＴＰ／ＲＰは、ＤＣＩ中の識別子によって示される各ＴＰ／ＲＰ自体のＵＬ／ＤＬ構成を有することができる。
【００３６】
しかしながら、第１の実施形態では、ＤＣＩへの何らかの修正が必要であり、これは、仕様への比較的大きな影響を意味する。さらに、上に説明したように、ＴＰ／ＲＰの数が多い場合には、識別子は、多数のビットを必要とすることがある。したがって、第１の実施形態ではＤＣＩデザインについての多大な作業が必要である。
【００３７】
加えて、第１の実施形態ではスプリッティング利得がない。いくつかのビットに誤りがある場合には、すべてのＴＰ／ＲＰに対して結果として間違った識別をもたらすはずであり、したがって、システム性能は大きく影響を受けるであろう。
【００３８】
標準化作業をさらに減少させ、スプリッティング利得を増加させるために、後で説明する本開示の第３の実施形態を提供する。
【００３９】
（第２の実施形態）
図４は、第２の実施形態の実装形態による基地局によるワイヤレス通信方法を示す図である。図５は、第２の実施形態の別の実装形態によるユーザ機器（ＵＥ）によるワイヤレス通信方法を示す図である。
【００４０】
第２の実施形態において、（マクロ）基地局またはＴＰ／ＲＰ側では、図４に示したように、本方法は、ＵＥグループ共通サーチ・スペース（ＵＥグループＣＳＳ）において、通信可能範囲内のＵＥへＵＬ／ＤＬ構成を送信するステップ４０１を含む。したがって、ＵＥ側では、図５に示したように、本方法は、ＵＥグループ共通サーチ・スペースにおいてＵＬ／ＤＬ構成を受信するステップ５０１を含む。
【００４１】
特に、この実施形態では、ワイヤレス通信システム内のＵＥは、例えば、ＵＥが接続されている異なるＴＰ／ＲＰに基づいてグループ分けされる。すなわち、あるグループ内のＵＥは、同じＴＰ／ＲＰに接続されてもまたは異なるＴＰ／ＲＰに接続されてもよい。あるグループ内のＵＥが同じＴＰ／ＲＰに接続されるときには、ＵＥグループＣＳＳは、ＴＰ／ＲＰ固有のＣＳＳを潜在的に意味することに留意されたい。
【００４２】
さらに、同じグループ内のＵＥは、同じＰＤＣＣＨ（または拡張物理ダウンリンク制御チャネルＥＰＤＣＣＨ）を共有する。したがって、第１の実施形態においてワイヤレス通信システム内のすべてのＵＥに共通であるＣＳＳと比較して、ＵＥグループＣＳＳは、すべてのＵＥの中からのあるＵＥグループに共通のサーチ・スペースを意味し、その結果、あるＵＥグループ内のＵＥは同じＴＰ／ＲＰ構成を有することができる。ＵＥグループＣＳＳを、共通サーチ・スペースまたはＵＥ固有のサーチ・スペース内で規定することができる。
【００４３】
本開示の第２の実施形態によれば、グループ内のＵＥが同じＴＰ／ＲＰに接続されると仮定すると、あるＴＰ／ＲＰは、このＴＰ／ＲＰに固有のＵＥグループＣＳＳにおいて、ＴＰ／ＲＰ自体のＵＬ／ＤＬ構成を送信する。したがって、このＴＰ／ＲＰに接続されたＵＥは、同じＵＥグループＣＳＳにおいてそれらのＵＬ／ＤＬ構成を受信することができる。これによって、各ＴＰ／ＲＰは、それ自体のアップリンク／ダウンリンク・トラフィックに適応するように、各ＴＰ／ＲＰ自体のＵＬ／ＤＬ構成を有することができる。
【００４４】
しかしながら、第２の実施形態では、異なるＵＬ／ＤＬ構成が、同じサブフレームのＵＥグループＣＳＳにおいて依然として送信されることがある。したがって、ＵＥ、特に、異なるＴＰ／ＲＰの通信可能範囲の重なった領域内のＵＥは、同じサブフレームにおいて異なるＵＬ／ＤＬ構成を受信することがあり、これが何らかの誤検出を結果としてもたらすことがある。
【００４５】
誤検出をさらに減少させスプリッティング利得を向上させるために、後で説明する本開示の第４の実施形態を提供する。
【００４６】
（第３の実施形態）
図６は、第３の実施形態の実装形態による基地局によるワイヤレス通信方法を示す図である。図７は、第３の実施形態の別の実装形態によるＵＥによるワイヤレス通信方法を示す図である。第１の実施形態におけるシナリオと同様に、ワイヤレス通信方法は、複数のＴＰ／ＲＰを含むワイヤレス通信システムでもやはり利用される。
【００４７】
（マクロ）基地局側では、第３の実施形態によるワイヤレス通信方法では、図６に示したように、本方法は、特定のＴＰ／ＲＰに関連付けられた特定の時間／周波数リソースの共通サーチ・スペース（ＣＳＳ）において、特定のＴＰ／ＲＰに接続されたＵＥへＵＬ／ＤＬ構成を送信するステップ６０１を含む。
【００４８】
加えて、図６には示していないが、ＴＰ／ＲＰ側では、同様に、本方法は、ＴＰ／ＲＰに関連付けられた特定の時間／周波数リソースの共通サーチ・スペースにおいて、ＴＰ／ＲＰそれ自体に接続されたユーザ機器（ＵＥ）へＵＬ／ＤＬ構成を送信するステップを含む。
【００４９】
特に、ワイヤレス通信システム内の（マクロ）基地局およびＴＰ／ＲＰは、ＣＳＳにおいてＵＬ／ＤＬ構成を送信する（例えば、ブロードキャストする）。とりわけ、これらは、第１の時間／周波数リソースのＣＳＳにおいて第１のＴＰ／ＲＰに接続されたＵＥに関するＵＬ／ＤＬ構成を送信し、第２の時間／周波数リソースのＣＳＳにおいて第２のＴＰ／ＲＰに接続されたＵＥに関するＵＬ／ＤＬ構成を送信し、以下同様である。言い換えると、各ＴＰ／ＲＰに関して、ＴＰ／ＲＰに関連付けられた特定の時間／周波数リソースが、それ自体のＵＬ／ＤＬ構成送信のために割り当てられる。ＴＰ／ＲＰの番号インデックスと特定の時間／周波数リソースのインデックスとの間の関連付けを、例えば、事前にハード・コード化することができる。あるいは、関連付けを、無線リソース制御（ＲＲＣ）シグナリングまたはブロードキャスト・シグナリング（例えば、システム情報ブロック（ＳＩＢ））などの上位レイヤ・シグナリングによって構成することができる。
【００５０】
ＴＰ／ＲＰの番号インデックス（以降ＴＰ／ＲＰ番号とも呼ばれる）を、上位レイヤ・シグナリングによって構成することができる。例えば、ＴＰ／ＲＰ番号を、ＵＥに固有の無線リソース制御（ＲＲＣ）シグナリングによって構成することができる。さらに、ＴＰ／ＲＰ番号は、ＵＥによってＵＬ／ＤＬ構成を受信するために役立つだけでもよく、ＣｏＭＰ動作においてＴＰ／ＲＰを識別するために使用されることが必ずしも必要でなくてもよく、その結果、現在のＣｏＭＰへの影響がない。
【００５１】
ＵＥ側では、第３の実施形態によるワイヤレス通信方法では、図７に示したように、本方法は、特定のＴＰ／ＲＰに関連付けられた特定の時間／周波数リソースの共通サーチ・スペースにおいて、ＵＥに関するＵＬ／ＤＬ構成を受信するステップ７０１を含み、ＵＥが、特定のＴＰ／ＲＰに接続され、特定のＴＰ／ＲＰの番号インデックスと特定の時間／周波数リソースのインデックスとの間の関連付けが、予め決められている。
【００５２】
特に、特定のＴＰ／ＲＰおよび（マクロ）基地局が同じＣＳＳにおいて同じＵＬ／ＤＬ構成をブロードキャストするので、ＵＥは、特定の時間／周波数リソースの共通サーチ・スペースにおいて、特定のＴＰ／ＲＰからおよび／または（マクロ）基地局から特定のＴＰ／ＲＰ内のＵＥに関するＵＬ／ＤＬ構成を受信することができる。
【００５３】
特定の時間／周波数リソースのインデックスは、サブフレーム番号、物理リソース・ブロック（ＰＲＢ）インデックス、制御チャネル・エレメント（ＣＣＥ）インデックス、拡張物理ダウンリンク制御チャネル（ＥＰＤＣＣＨ）セット・インデックス、およびＵＥセル無線ネットワーク仮識別子（Ｃ−ＲＮＴＩ）のうちの少なくとも１つを含むことができる。
【００５４】
一例では、関連付けを、ＴＰ／ＲＰ番号と特定のサブフレームを示すサブフレーム番号との間の関連付けとすることができ、この特定のサブフレームは、例えば、ＴＤＤに基づくワイヤレス通信システムにおいてＵＬ／ＤＬ構成送信のために割り当てられている。
【００５５】
特に、関連付けは、ｍｏｄ（ＴＰ／ＲＰ番号，Ｘ）に基づくことができ、ここでは、ＴＰ／ＲＰ番号が、ＴＰ／ＲＰの番号インデックスであり、Ｘが、ＵＬ／ＤＬ構成送信のために利用可能なサブフレームの数であり、例えば、４である。当業者には知られているように、Ｘの値を、トラフィック・タイプ、等にしたがってＴＰ／ＲＰにより構成することができる。このような関連付けを、標準でハード・コード化することができる、または上に説明したように、上位レイヤ・シグナリングによって指示することができる。
【００５６】
ｍｏｄ（ＴＰ／ＲＰ番号，Ｘ）の上記の関連付けは、例に過ぎず、当業者なら、やはり本開示の範囲内になる上記の教示に基づいて、他の式に基づく関連付けを設計することができることに留意されたい。
【００５７】
別の例では、関連付けを、ＴＰ／ＲＰ番号と、ＵＬ／ＤＬ構成送信のために割り当てられている特定のＰＲＢまたはＣＣＥを示すＰＲＢまたはＣＣＥインデックスとの間の関連付けとすることができる。あるいは、関連付けを、ＴＰ／ＲＰ番号と、ＵＬ／ＤＬ構成送信のために割り当てられている特定のＰＤＣＣＨ（またはＥＰＤＣＣＨ）セットを示すＰＤＣＣＨ（またはＥＰＤＣＣＨ）セット・インデックスとの間の関連付けとすることができる。
【００５８】
さらなる例では、関連付けを、ＴＰ／ＲＰ番号とＵＥ  ＩＤ（Ｃ−ＲＮＴＩ）との間の関連付けとすることができる。例えば、ＴＤＤに基づくワイヤレス通信システム内に少数のＵＥがあるときには、特定のＴＰ／ＲＰに接続されたＵＥは、ｍｏｄ（Ｃ−ＲＮＴＩ，Ｘ）に基づいて特定のサブフレームを決定することができ、ここでは、Ｃ−ＲＮＴＩが、ＵＥの識別子であり、Ｘが、ＵＬ／ＤＬ構成送信のために利用可能なサブフレームの数である。
【００５９】
図８は、ＴＤＤに基づくワイヤレス通信システムにおいてＴＰ／ＲＰ番号とサブフレーム番号との間の関連付けを示す模式図である。図８では、上側部分は、表１に示したようなＵＬ／ＤＬ構成１を示す行である。下側部分は、３つのＴＰ／ＲＰ８０１〜８０３を含む模式的なＣｏＭＰシナリオ８００であり、ここでは、ＵＥ８０４が、ＴＰ／ＲＰ８０１に接続され、ＵＥ８０５が、ＴＰ／ＲＰ８０２に接続され、そしてＵＥ８０６が、ＴＰ／ＲＰ８０３に接続されている。マクロ基地局は本開示の実施形態を明確に図説するためにこの図には示されないことに留意されたい。第３の実施形態によれば、ＵＥ８０４は、サブフレーム＃０においてそれ自体のＴＤＤ  ＵＬ／ＤＬ構成を受信することを期待するだけであり、ＵＥ８０５は、サブフレーム＃１においてそれ自体のＴＤＤ  ＵＬ／ＤＬ構成を受信することを期待するだけであり、そしてＵＥ８０６は、サブフレーム＃５においてそれ自体のＴＤＤ  ＵＬ／ＤＬ構成を受信することを期待するだけである。
【００６０】
当然のことながら、上記の種類の関連付けは、例に過ぎず、本開示は、これらに限定されない。加えて、上記の種類の関連付けを、適切であれば、特に多数のＴＰ／ＲＰがあるときには相互に組み合わせることができる。
【００６１】
例えば、下記の表２は、１２個のＴＰ／ＲＰを含んでいるＴＤＤに基づくワイヤレス通信システムにおいて、ＴＰ／ＲＰ番号とサブフレーム番号との間の関連付けの一例である。ＵＬ／ＤＬ構成送信のために利用可能である合計で４つのサブフレームがあると仮定する。ＴＰ／ＲＰの数が利用可能なサブフレームよりも多いので、１つよりも多く（この例では３つ）のＴＰ／ＲＰが同じサブフレームに対応するように、ＴＰ／ＲＰは、第２の実施形態および第４の実施形態において説明されるようにグループへとグループ分けされる必要がある。したがって、あるグループ内の各ＴＰ／ＲＰに関して、ＴＰ／ＲＰに関連付けられた特定の時間／周波数リソースをさらに示すために、もう１つのインデックスを必要とすることがある。
【００６２】
【表２】
2018011346.tif 000004
このケースでは、サブフレーム番号に加えて、周波数ドメイン内の周波数位置を示す別のインデックス、例えば、ＣＣＥインデックスまたはＰＲＢインデックスを、使用することができる。ＣＣＥインデックスまたはＰＲＢインデックスを、ＵＬ／ＤＬ構成送信のためのＣＳＳの開始位置を示すインデックスとすることができる。したがって、ＴＰ／ＲＰのために割り当てられた特定のサブフレームを決定することができるだけでなく、特定のサブフレーム内の特定のＣＣＥまたは特定のＰＲＢもやはり決定することができる。
【００６３】
あるいは、サブフレーム番号に加えて、第１の実施形態におけるものと同様に、特定のＴＰ／ＲＰに接続されたＵＥに関するＵＬ／ＤＬ構成を識別するための識別子を、このケースでは使用することができる。第１の実施形態において説明したように、識別子を、ダウンリンク制御情報（ＤＣＩ）中のビットから形成することができる。しかしながら、第１の実施形態の識別子と比較して、識別子のビットの数がかなり減少されている。例えば、表２のケースでは、合計で１２個のＴＰ／ＲＰがあるので、識別子は、第１の実施形態によれば、７１２＝１３８４１２８７２０１種類のＵＬ／ＤＬ構成の可能性を識別する必要がある。しかしながら、第３の実施形態によれば、異なるグループ内のＴＰ／ＲＰが異なるサブフレームにおいてＵＬ／ＤＬ構成を送信するので、識別子は、同じグループ内のＴＰ／ＲＰ、すなわち、このケースでは３個のＴＰ／ＲＰに関するＵＬ／ＤＬ構成を識別する必要があるに過ぎない。言い換えると、識別子は、７３＝３４３種類のＵＬ／ＤＬ構成の可能性を識別することが必要である。当然のことながら、識別子のビットの数を大幅に減少させることができる。
【００６４】
第３の実施形態の他の実装形態では、ＵＬ／ＤＬ構成を受信するＵＥおよびＵＬ／ＤＬ構成を送信するＴＰ／ＲＰが提供される。ＵＥおよびＴＰ／ＲＰは、複数のＴＰ／ＲＰを含むワイヤレス通信システムでもやはり利用される。
【００６５】
図９は、本開示の第３の実施形態による基地局９００の概略構造を示すブロック図である。図９に示したように、基地局９００は、特定のＴＰ／ＲＰに関連付けられた特定の時間／周波数リソースの共通サーチ・スペースにおいて、ＵＥへＵＬ／ＤＬ構成を送信する送信機９０１を備え、ＵＥが、特定のＴＰ／ＲＰに接続され、特定のＴＰ／ＲＰの番号インデックスと特定の時間／周波数リソースのインデックスとの間の関連付けが、予め決められている。
【００６６】
第３の実施形態による基地局９００は、様々なデータを処理するためおよびＴＰ／ＲＰ９００内のそれぞれのユニットの動作を制御するために関係するプログラムを実行するためのＣＰＵ（中央処理ユニット）９１０、ＣＰＵ９１０による様々なプロセスおよび制御を実行するために必要な様々なプログラムを記憶するためのＲＯＭ（読出し専用メモリ）９１３、ＣＰＵ９１０によるプロセスおよび制御の手順において一時的に生成される中間データを記憶するためのＲＡＭ（ランダム・アクセス・メモリ）９１５、ならびに／または様々なプログラム、データ、等を記憶するための記憶ユニット９１７を、任意選択で含むことができる。上記の送信機９０１、ＣＰＵ９１０、ＲＯＭ９１３、ＲＡＭ９１５および／または記憶ユニット９１７、等を、データおよび／またはコマンド・バス９２０を介して相互接続することができ、相互間で信号を伝達することができる。
【００６７】
上に説明したようなそれぞれのユニットは、本開示の範囲を限定しない。開示の一実装形態によれば、上記の送信機９０１の機能を、ハードウェアによって実装することができ、上記のＣＰＵ９１０、ＲＯＭ９１３、ＲＡＭ９１５および／または記憶ユニット９１７は、必ずしも必要でないことがある。あるいは、上記の送信機９０１の機能を、上記のＣＰＵ９１０、ＲＯＭ９１３、ＲＡＭ９１５および／または記憶ユニット９１７、等と組み合わせて機能ソフトウェアによってやはり実装することができる。
【００６８】
また、示していないが、第３の実施形態によるＴＰ／ＲＰは、図９の（マクロ）基地局９００に類似の構造を有する。すなわち、ＴＰ／ＲＰは、ＴＰ／ＲＰに関連付けられた特定の時間／周波数リソースの共通サーチ・スペースにおいて、ユーザ機器（ＵＥ）へＵＬ／ＤＬ構成を送信する送信機を備え、ＵＥが、ＴＰ／ＲＰに接続され、ＴＰ／ＲＰの番号インデックスと特定の時間／周波数リソースのインデックスとの間の関連付けが、予め決められている。
【００６９】
図１０は、本開示の第３の実施形態によるＵＥ１０００の概略構造を示す図である。図１０に示したように、ＵＥ１０００は、特定のＴＰ／ＲＰに関連付けられた特定の時間／周波数リソースの共通サーチ・スペースにおいて、ＵＥに関するＵＬ／ＤＬ構成を受信する受信機１００１を備え、ＵＥが、特定のＴＰ／ＲＰに接続され、特定のＴＰ／ＲＰの番号インデックスと特定の時間／周波数リソースのインデックスとの間の関連付けが、予め決められている。
【００７０】
第３の実施形態によるＵＥ１０００は、様々なデータを処理するためおよびＵＥ１０００内のそれぞれのユニットの動作を制御するために関係するプログラムを実行するためのＣＰＵ（中央処理ユニット）１０１０、ＣＰＵ１０１０による様々なプロセスおよび制御を実行するために必要な様々なプログラムを記憶するためのＲＯＭ（読出し専用メモリ）１０１３、ＣＰＵ１０１０によるプロセスおよび制御の手順において一時的に生成される中間データを記憶するためのＲＡＭ（ランダム・アクセス・メモリ）１０１５、および／または様々なプログラム、データ、等を記憶するための記憶ユニット１０１７を、任意選択で含むことができる。上記の受信機１００１、ＣＰＵ１０１０、ＲＯＭ１０１３、ＲＡＭ１０１５および／または記憶ユニット１０１７、等を、データおよび／またはコマンド・バス１０２０を介して相互接続することができ、相互間で信号を伝達することができる。
【００７１】
上に説明したようなそれぞれのユニットは、本開示の範囲を限定しない。開示の一実装形態によれば、上記の受信機１００１の機能を、ハードウェアによって実装することができ、上記のＣＰＵ１０１０、ＲＯＭ１０１３、ＲＡＭ１０１５および／または記憶ユニット１０１７は、必ずしも必要でないことがある。あるいは、上記の受信機１００１の機能を、上記のＣＰＵ１０１０、ＲＯＭ１０１３、ＲＡＭ１０１５および／または記憶ユニット１０１７、等と組み合わせて機能ソフトウェアによってやはり実装することができる。
【００７２】
したがって、別の実装形態では、ワイヤレス通信システムが提供され、第１の送信／受信ポイント（ＴＰ／ＲＰ）に関連付けられた第１の時間／周波数リソースの共通サーチ・スペースにおいて、第１のＴＰ／ＲＰの通信可能範囲内のユーザ機器（ＵＥ）へ第１のアップリンク／ダウンリンク（ＵＬ／ＤＬ）構成を送信する第１のＴＰ／ＲＰと、第２のＴＰ／ＲＰに関連付けられた第２の時間／周波数リソースの共通サーチ・スペースにおいて、第２のＴＰ／ＲＰの通信可能範囲内のＵＥへ第２のＵＬ／ＤＬ構成を送信する第２のＴＰ／ＲＰと、第１の時間／周波数リソースの共通サーチ・スペースにおいて、基地局の通信可能範囲内のＵＥへ第１のアップリンク／ダウンリンク（ＵＬ／ＤＬ）構成を送信し、かつ第２の時間／周波数リソースの共通サーチ・スペースにおいて、基地局の通信可能範囲内のＵＥへ第２のＵＬ／ＤＬ構成を送信する基地局と、第１の時間／周波数リソースの共通サーチ・スペースにおいて、第１のＵＬ／ＤＬ構成を受信する、第１のＴＰ／ＲＰに接続された第１のＵＥと、第２の時間／周波数リソースの共通サーチ・スペースにおいて、第２のＵＬ／ＤＬ構成を受信する、第２のＴＰ／ＲＰに接続された第２のＵＥと、を備え、ＴＰ／ＲＰの番号インデックスと時間／周波数リソースのインデックスとの間の関連付けが、基地局、第１のＴＰ／ＲＰ、第２のＴＰ／ＲＰ、第１のＵＥおよび第２のＵＥにおいて予め決められている。
【００７３】
第３の実施形態の上記の実装形態によれば、ＵＬ／ＤＬ構成送信は、時間／周波数リソース・ユニットに依存する。例えば、ＴＤＤに基づく通信システムでは、ＵＬ／ＤＬ構成送信は、サブフレームに依存する。したがって、ＣｏＭＰシナリオにおいて同じＣＳＳを共有する複数のＴＰ／ＲＰがあるときでさえ、各ＴＰ／ＲＰは、それ自体のＵＬ／ＤＬトラフィックに適応するように各ＴＰ／ＲＰ自体のＵＬ／ＤＬ構成を有することができる。
【００７４】
さらに、本開示の第３の実施形態によれば、特に、システム内に比較的少数のＴＰ／ＲＰがあるときには、既存のＣＳＳに基づくＤＣＩにビットを追加すること、またはＵＬ／ＤＬ構成を識別するためにＤＣＩ中のいくつかのビットを再使用することは、もしかすると必要ない。したがって、標準化作業が少ない。
【００７５】
加えて、異なるＴＰ／ＲＰに関するＵＬ／ＤＬ構成が異なる時間／周波数リソースにおいて送信されるので、対応する時間／周波数ドメインにスプリッティング利得がある。
【００７６】
第３の実施形態の上記の実装形態では、ＵＬ／ＤＬ構成は、ＣＳＳにおいて送信される。あるいは、本明細書において後で説明するような他の実装形態では、ＵＬ／ＤＬ構成を、ＵＥ固有のサーチ・スペース（ＵＳＳ）においてやはり送信することができる。
【００７７】
この実装形態では、ＵＥ側では、本方法は、特定のＴＰ／ＲＰに関連付けられた特定の時間／周波数リソースのＵＥ固有のサーチ・スペースにおいて、特定のＴＰ／ＲＰからＵＥに関するＵＬ／ＤＬ構成を受信するステップを含み、ＵＥが、特定のＴＰ／ＲＰに接続され、特定のＴＰ／ＲＰの番号インデックスと特定の時間／周波数リソースのインデックスとの間の関連付けが、予め決められている。
【００７８】
ＴＰ／ＲＰ側では、本方法は、ＴＰ／ＲＰに関連付けられた特定の時間／周波数リソースのＵＥ固有のサーチ・スペースにおいて、ＴＰ／ＲＰに接続されたＵＥへＵＬ／ＤＬ構成を送信するステップを含み、ＴＰ／ＲＰの番号インデックスと特定の時間／周波数リソースのインデックスとの間の関連付けが、予め決められている。
【００７９】
特に、この実装形態では、（マクロ）基地局は、ＵＬ／ＤＬ構成を送信せず、一方で各ＴＰ／ＲＰは、ＴＰ／ＲＰそれ自体に関連付けられた時間／周波数リソースのＵＳＳにおいて、各ＴＰ／ＲＰ自体のＵＬ／ＤＬ構成を送信する。関連付けは、上記の実装形態において説明したものに類似しており、ここでは詳細には説明しない。
【００８０】
したがって、この実装形態では、ＵＥが提供され、特定のＴＰ／ＲＰに関連付けられた特定の時間／周波数リソースのＵＥ固有のサーチ・スペースにおいて、特定のＴＰ／ＲＰからＵＥに関するＵＬ／ＤＬ構成を受信する受信機を備え、ＵＥが、特定のＴＰ／ＲＰに接続され、特定のＴＰ／ＲＰの番号インデックスと特定の時間／周波数リソースのインデックスとの間の関連付けが、予め決められている。
【００８１】
また、ＴＰ／ＲＰが提供され、ＴＰ／ＲＰに関連付けられた特定の時間／周波数リソースのＵＥ固有のサーチ・スペースにおいて、ＴＰ／ＲＰに接続されたＵＥへＵＬ／ＤＬ構成を送信する送信機を備え、ＴＰ／ＲＰの番号インデックスと特定の時間／周波数リソースのインデックスとの間の関連付けが、予め決められている。
【００８２】
また、ワイヤレス通信システムが提供され、基地局と、第１の時間／周波数リソースのＵＥに固有の共通サーチ・スペースにおいて、第１のＴＰ／ＲＰの通信可能範囲内のＵＥへ第１のＵＬ／ＤＬ構成を送信する第１のＴＰ／ＲＰと、第２の時間／周波数リソースのＵＥに固有の共通サーチ・スペースにおいて、第２のＴＰ／ＲＰの通信可能範囲内のＵＥへ第２のＵＬ／ＤＬ構成を送信する第２のＴＰ／ＲＰと、第１の時間／周波数リソースのＵＥに固有の共通サーチ・スペースにおいて、第１のＴＰ／ＲＰから第１のＵＬ／ＤＬ構成を受信する、第１のＴＰ／ＲＰに接続された第１のＵＥと、第２の時間／周波数リソースのＵＥに固有の共通サーチ・スペースにおいて、第２のＴＰ／ＲＰから第２のＵＬ／ＤＬ構成を受信する、第２のＴＰ／ＲＰに接続された第２のＵＥと、を備え、ＴＰ／ＲＰの番号インデックスと時間／周波数リソースのインデックスとの間の関連付けが、第１のＴＰ／ＲＰ、第２のＴＰ／ＲＰ、第１のＵＥおよび第２のＵＥにおいて予め決められている。
【００８３】
この実装形態でのＴＰ／ＲＰおよびＵＥの構造は、図９および図１０を参照して説明した上記の実装形態のものに類似しており、ここでは詳細には説明しない。
【００８４】
この実装形態によれば、ＣｏＭＰシナリオにおいて複数のＴＰ／ＲＰがあるときでさえ、各ＴＰ／ＲＰは、それ自体のＵＬ／ＤＬトラフィックに適応するように、ＵＳＳにおいて、接続されたＵＥへ各ＴＰ／ＲＰ自体のＵＬ／ＤＬ構成を送信することができる。
【００８５】
さらに、この実装形態によれば、あるＴＰ／ＲＰの通信可能範囲の端における、または複数のＴＰ／ＲＰの通信可能範囲の重なった領域内のＵＥに対してさえ、異なるＴＰ／ＲＰが異なる時間／周波数リソースにおいてそれらのＵＬ／ＤＬ構成を送信するので、ＵＥは、ＵＥが接続されている特定のＴＰ／ＲＰからＵＬ／ＤＬ構成を正しく受信することができ、これによって誤検出および他のＴＰ／ＲＰによって引き起こされる干渉を減少させることができる。
【００８６】
（第４の実施形態）
図１１は、第４の実施形態の実装形態による基地局によるワイヤレス通信方法を示す図である。図１２は、第４の実施形態の別の実装形態によるＵＥによるワイヤレス通信方法を示す図である。第１の実施形態におけるシナリオと同様に、ワイヤレス通信方法は、複数のＴＰ／ＲＰを含むワイヤレス通信システムでもやはり利用される。
【００８７】
（マクロ）基地局側では、図１１に示したように、本方法は、特定のＵＥグループに関連付けられた特定の時間／周波数リソースのＣＳＳのＵＥグループ共通サーチ・スペースにおいて、ＵＥへＵＬ／ＤＬ構成を送信するステップ１１０１を含み、ＵＥが、特定のＵＥグループへとグループ分けされ、特定のＵＥグループの番号インデックスと特定の時間／周波数リソースのインデックスとの間の関連付けが、予め決められている。
【００８８】
また、図１１には示していないが、同様に、ＴＰ／ＲＰ側では、本方法は、特定のＵＥグループに関連付けられた特定の時間／周波数リソースの共通サーチ・スペースのＵＥグループ共通サーチ・スペースにおいて、ＵＥへＵＬ／ＤＬ構成を送信するステップを含み、ＵＥが、特定のＵＥグループへとグループ分けされ、特定のＵＥグループの番号インデックスと特定の時間／周波数リソースのインデックスとの間の関連付けが、予め決められている。
【００８９】
ＵＥ側では、図１２に示したように、本方法は、特定のＵＥグループに関連付けられた特定の時間／周波数リソースのＣＳＳのＵＥグループ共通サーチ・スペースにおいて、ＵＥに関するＵＬ／ＤＬ構成を受信するステップ１２０１を含み、ＵＥが、特定のＵＥグループへとグループ分けされ、特定のＵＥグループの番号インデックスと特定の時間／周波数リソースのインデックスとの間の関連付けが、予め決められている。
【００９０】
ＵＥグループＣＳＳの意味および関係する詳細なプロセスは、第２の実施形態において説明してきており、重複を避けるためにここでは説明しない。第２の実施形態のものとは異なり、第４の実施形態では、ＴＰ／ＲＰは、第３の実施形態において上に説明したように、特定の時間／周波数リソースにおいてＵＬ／ＤＬ構成を送信する。特定の時間／周波数リソースは、特定のＵＥグループに関連付けられる。これによって、特定のグループ内のＵＥは、特定の時間／周波数リソースにおいてＵＥのＵＬ／ＤＬ構成を受信できるだけである。
【００９１】
第３の実施形態のものと同様に、インデックスは、サブフレーム番号、物理リソース・ブロック（ＰＲＢ）インデックス、制御チャネル・エレメント（ＣＣＥ）インデックス、拡張物理ダウンリンク制御チャネル（ＥＰＤＣＣＨ）セット・インデックス、およびＵＥセル無線ネットワーク仮識別子（Ｃ−ＲＮＴＩ）のうちの少なくとも１つを含むことができる。しかしながら、第３の実施形態におけるｍｏｄ（ＴＰ／ＲＰ番号，Ｘ）の関連付けとは異なり、この実施形態では、関連付けは、ｍｏｄ（ＵＥグループ番号，Ｘ）に基づくことができ、ここでは、ＵＥグループ番号が、ＵＥグループの番号インデックスであり、Ｘが、ＵＬ／ＤＬ構成送信のために利用可能なサブフレームの数であり、例えば、４である。同様に、ＵＥグループ番号を、上位レイヤ・シグナリングによって構成することができる。
【００９２】
この実装形態では、ＵＥグループＣＳＳは、（マクロ）基地局およびＴＰ／ＲＰによって共有されるＣＳＳ内で規定される。異なるＵＥグループ内のＵＥが異なる時間／周波数リソースにおいてＵＬ／ＤＬ構成を受信するので、異なるＴＰ／ＲＰを可能性として意味することがある異なるＵＥグループは、これらがＣＳＳ内の同じＵＥグループＣＳＳを共有するときでさえ、ＵＥグループ自体のＵＬ／ＤＬ構成を依然として有することができる。
【００９３】
あるいは、別の実装形態では、ＵＥグループＣＳＳを、ＵＳＳ内で規定することができる。この実装形態では、第２の実施形態において説明したように、ＴＰ／ＲＰだけが、それら自体のＵＬ／ＤＬ構成を送信する。
【００９４】
詳細には、ＴＰ／ＲＰ側では、本方法は、特定のＵＥグループに関連付けられた特定の時間／周波数リソースのＵＥ固有のサーチ・スペースのＵＥグループ共通サーチ・スペースにおいて、ＴＰ／ＲＰに接続されたＵＥへＵＬ／ＤＬ構成を送信するステップを含み、ＵＥが、特定のＵＥグループへとグループ分けされ、特定のＵＥグループの番号インデックスと特定の時間／周波数リソースのインデックスとの間の関連付けが、予め決められている。
【００９５】
ＵＥ側では、本方法は、特定のＵＥグループに関連付けられた特定の時間／周波数リソースのＵＥ固有のサーチ・スペースのＵＥグループ共通サーチ・スペースにおいて、ＵＥが接続されているＴＰ／ＲＰからＵＥに関するＵＬ／ＤＬ構成を受信するステップを含み、ＵＥが、特定のＵＥグループへとグループ分けされ、特定のＵＥグループの番号インデックスと特定の時間／周波数リソースのインデックスとの間の関連付けが、予め決められている。
【００９６】
この実装形態では、異なるＴＰ／ＲＰは、ＵＳＳにおいてＴＰ／ＲＰ自体のＵＬ／ＤＬ構成を送信することができる。その上、異なるＴＰ／ＲＰが異なる時間／周波数リソースにおいてＴＰ／ＲＰ自体のＴＰ／ＲＰ構成を送信するので、あるＴＰ／ＲＰの通信可能範囲の端における、または複数のＴＰ／ＲＰの通信可能範囲の重なった領域内のＵＥに対してさえ、ＵＥは、ＵＥが接続されている特定のＴＰ／ＲＰからＵＬ／ＤＬ構成を正しく受信することができ、これによって誤検出および他のＴＰ／ＲＰによって引き起こされる干渉を減少させることができる。
【００９７】
例えば、図１３は、ＴＤＤに基づくワイヤレス通信システムにおいてＵＥグループ番号とサブフレーム番号との間の関連付けを示す模式的な図である。図１３では、上側部分は、ＵＬ／ＤＬ構成を示す行である。下側部分は、２つのＴＰ／ＲＰ１３０１および１３０２を含んでいる模式的なワイヤレス通信システム１３００である。また、同じＴＰ／ＲＰに接続されたＵＥがＵＥグループを形成すると仮定し、そのときには、ＴＰ／ＲＰ１３０１内のＵＥグループのＵＥ（例えば、ＵＥ１３０３）は、サブフレーム＃０およびサブフレーム＃１においてＵＬ／ＤＬ構成を受信することを期待することができるだけであり、ＴＰ／ＲＰ１３０２内のＵＥグループのＵＥ（例えば、ＵＥ１３０４）は、サブフレーム＃５およびサブフレーム＃６においてＵＬ／ＤＬ構成を受信することを期待することができるだけである。これによって、異なるＴＰ／ＲＰを可能性として意味する異なるＵＥグループは、たとえＵＥグループＣＳＳが、ＣＳＳまたはＵＳＳにおいて規定されようとも、ＴＰ／ＲＰ自体のＵＬ／ＤＬ構成を有することができる。
【００９８】
さらに、ＵＬ／ＤＬ構成がＵＳＳ内のＵＥグループＣＳＳにおいて送信されると仮定する。そのときには、あるＴＰ／ＲＰの通信可能範囲の端における、または複数のＴＰ／ＲＰの通信可能範囲の重なった領域内のＵＥ、例えば、ＵＥ１３０３、に対してさえ、ＵＥがＴＰ／ＲＰ１３０１に接続されたＵＥグループに属しているので、ＵＥは、サブフレーム＃０およびサブフレーム＃１においてＵＬ／ＤＬ構成を受信することを期待することができるだけである。これによって、ＵＥによる誤検出および他のＴＰ／ＲＰとの干渉を減少させる。
【００９９】
送信機を備える第４の実施形態の実装形態による基地局またはＴＰ／ＲＰは、下記を除いて第３の実施形態による基地局９００またはＴＰ／ＲＰと同様の構成を有することができる。第４の実施形態のこの実装形態による送信機は、特定のＵＥグループに関連付けられた特定の時間／周波数リソースのＣＳＳのＵＥグループ共通サーチ・スペースにおいて、ＵＥへＵＬ／ＤＬ構成を送信することができ、ここでは、ＵＥが、特定のＵＥグループへとグループ分けされ、特定のＵＥグループの番号インデックスと特定の時間／周波数リソースのインデックスとの間の関連付けが、予め決められている。
【０１００】
したがって、受信機を備える第４の実施形態の実装形態によるＵＥは、下記を除いて第３の実施形態によるＵＥ１０００と同様の構成を有することができる。第４の実施形態のこの実装形態による受信機は、特定のＵＥグループに関連付けられた特定の時間／周波数リソースのＣＳＳのＵＥグループ共通サーチ・スペースにおいて、ＵＥに関するＵＬ／ＤＬ構成を受信することができ、ここでは、ＵＥが、特定のＵＥグループへとグループ分けされ、特定のＵＥグループの番号インデックスと特定の時間／周波数リソースのインデックスとの間の関連付けが、予め決められている。
【０１０１】
したがって、第４の実施形態の実装形態によるワイヤレス通信システムは、第１のＵＥグループに関連付けられた第１の時間／周波数リソースの共通サーチ・スペースのＵＥグループ共通サーチ・スペースにおいて、第１のＴＰ／ＲＰの通信可能範囲内のＵＥへ第１のＵＬ／ＤＬ構成を送信する第１のＴＰ／ＲＰと、第２のＵＥグループに関連付けられた第２の時間／周波数リソースの共通サーチ・スペースのＵＥグループ共通サーチ・スペースにおいて、第２のＴＰ／ＲＰの通信可能範囲内のＵＥへ第２のＵＬ／ＤＬ構成を送信する第２のＴＰ／ＲＰと、第１の時間／周波数リソースの共通サーチ・スペースのＵＥグループ共通サーチ・スペースにおいて、基地局の通信可能範囲内のＵＥへ第１のＵＬ／ＤＬ構成を送信し、かつ第２の時間／周波数リソースの共通サーチ・スペースのＵＥグループ共通サーチ・スペースにおいて、基地局の通信可能範囲内のＵＥへ第２のＵＬ／ＤＬ構成を送信する基地局と、第１の時間／周波数リソースの共通サーチ・スペースのＵＥグループ共通サーチ・スペースにおいて、第１のＵＬ／ＤＬ構成を受信する、第１のＵＥグループ内の第１のＵＥと、第２の時間／周波数リソースの共通サーチ・スペースのＵＥグループ共通サーチ・スペースにおいて、第２のＵＬ／ＤＬ構成を受信する、第２のＵＥグループ内の第２のＵＥと、を備え、ＵＥグループの番号インデックスと時間／周波数リソースのインデックスとの間の関連付けが、基地局、第１のＴＰ／ＲＰ、第２のＴＰ／ＲＰ、第１のＵＥおよび第２のＵＥにおいて予め決められている。
【０１０２】
また、本開示の別の実装形態によれば、送信機を備えたＴＰ／ＲＰは、下記を除いて第３の実施形態によるＴＰ／ＲＰと同様の構成を有することができる。第４の実施形態のこの実装形態による送信機は、特定のＵＥグループに関連付けられた特定の時間／周波数リソースのＵＥ固有のサーチ・スペースのＵＥグループ共通サーチ・スペースにおいて、ＴＰ／ＲＰに接続されたＵＥへＵＬ／ＤＬ構成を送信することができ、ここでは、ＵＥが、特定のＵＥグループへとグループ分けされ、特定のＵＥグループの番号インデックスと特定の時間／周波数リソースのインデックスとの間の関連付けが、予め決められている。
【０１０３】
したがって、受信機を備えた第４の実施形態の実装形態によるＵＥは、下記を除いて第３の実施形態によるＵＥ１０００と同様の構成を有することができる。第４の実施形態のこの実装形態による受信機は、特定のＵＥグループに関連付けられた特定の時間／周波数リソースのＵＥ固有のサーチ・スペースのＵＥグループ共通サーチ・スペースにおいて、ＵＥが接続されているＴＰ／ＲＰからＵＥに関するＵＬ／ＤＬ構成を受信することができ、ここでは、ＵＥが、特定のＵＥグループへとグループ分けされ、特定のＵＥグループの番号インデックスと特定の時間／周波数リソースのインデックスとの間の関連付けが、予め決められている。
【０１０４】
したがって、第４の実施形態のこの実装形態によるワイヤレス通信システムは、基地局と、第１のＵＥグループに関連付けられた第１の時間／周波数リソースのＵＥ固有のサーチ・スペースのＵＥグループ共通サーチ・スペースにおいて、第１のＴＰ／ＲＰの通信可能範囲内のＵＥへ第１のＵＬ／ＤＬ構成を送信する第１のＴＰ／ＲＰと、第２のＵＥグループに関連付けられた第２の時間／周波数リソースのＵＥ固有のサーチ・スペースのＵＥグループ共通サーチ・スペースにおいて、第２のＴＰ／ＲＰの通信可能範囲内のＵＥへ第２のＵＬ／ＤＬ構成を送信する第２のＴＰ／ＲＰと、第１の時間／周波数リソースのＵＥ固有のサーチ・スペースのＵＥグループ共通サーチ・スペースにおいて、第１のＴＰ／ＲＰから第１のＵＬ／ＤＬ構成を受信する、第１のＵＥグループ内の第１のＵＥと、第２の時間／周波数リソースのＵＥ固有のサーチ・スペースのＵＥグループ共通サーチ・スペースにおいて、第２のＴＰ／ＲＰから第２のＵＬ／ＤＬ構成を受信する、第２のＵＥグループ内の第２のＵＥと、を備え、ＵＥグループの番号インデックスと時間／周波数リソースのインデックスとの間の関連付けが、第１のＴＰ／ＲＰ、第２のＴＰ／ＲＰ、第１のＵＥおよび第２のＵＥにおいて予め決められている。
【０１０５】
第４の実施形態の他の部品およびプロセスは、第２の実施形態または第３の実施形態において説明したものと同様であり、重複を避けるためにここでは説明しない。
【０１０６】
本開示の上記の実施形態は、例示的な説明に過ぎず、これらの具体的な構造および動作は、本開示の範囲を限定しない。当業者なら、上記のそれぞれの実施形態の様々な部品および動作を組み合わせ直すことができ、本開示の概念と同じように一致する新しい実装形態を生み出すことができる。
【０１０７】
本開示の実施形態を、ハードウェア、ソフトウェアおよびファームウェアによって、またはこれらの組合せで実装することができ、実装の方法は、本開示の範囲を限定しない。
【０１０８】
本開示の実施形態におけるそれぞれの機能要素（ユニット）間の接続関係は、１つまたは複数の機能要素またはユニットが、いずれかの他の機能要素を包含することができるまたはこれらに接続されることがある本開示の範囲を限定しない。
【０１０９】
本開示のいくつかの実施形態が上記では添付した図面と組み合わせて示され、説明されてきているが、本開示の特許請求の範囲およびその均等物の範囲に依然として入る変形形態および修正形態を、本開示の原理および精神から逸脱せずにこれらの実施形態に行い得ることを、当業者なら理解するはずである。
【図１】
2018011346.tif 000005
【図２】
2018011346.tif 000006
【図３】
2018011346.tif 000007
【図４】
2018011346.tif 000008
【図５】
2018011346.tif 000009
【図６】
2018011346.tif 000010
【図７】
2018011346.tif 000011
【図８】
2018011346.tif 000012
【図９】
2018011346.tif 000013
【図１０】
2018011346.tif 000014
【図１１】
2018011346.tif 000015
【図１２】
2018011346.tif 000016
【図１３】
2018011346.tif 000017